(57)【要約】  本発明は、支持プレート（３）の保管領域（５）に関して平面的な保管領域（４）を備え、前記保管領域（５）が前記保管領域（４）に平面平行に配置され、前記物体（２）が前記運支持プレート（３）に関して２つの可能な反対の回転方向（Ｒ１，Ｒ２）の１つの方向に回転可能で且つ所定の方向（Ａ）に変位可能である物体（２）の回転並進移動用装置であって、前記保管領域（４，５）の互いに向き合うベアリング表面が閉じた周辺走行溝（４４，４５，５１）を備え、前記周辺走行溝（４４，４５，５１）中においてローラー体（６）が案内され、前記周辺走行溝（４４，４５，５１）は、前記物体（２）に前記保管領域（５）の平面において定義された方向（Ａ）に力が作用した場合に、前記物体（２）が少なくとも部分的に積極的に案内される、スタート位置から中間位置への同時の回転及び並進移動において移動可能であるように形成され、前記同時の回転及び並進移動において、前記物体（２）が前記保管領域（３）に関して２つの可能な反対の回転方向（Ｒ１，Ｒ２）のうちの１つの方向に回転されるとともに前記所定の方向（Ａ）に変位され、前記物体（２）が、前記中間位置への移動後に、さらに前記２つの可能な反対の回転方向（Ｒ１，Ｒ２）のうちの１つの方向に前記運搬プレート（３）に関して旋回可能であり、前記所定の移動方向（Ａ）と反対に変位可能であり、且つ１８０度の旋回時に再び前記基本位置を占める。【選択図】  図１
2020513970.tif 000002
【特許請求の範囲】
【請求項１】
運搬プレート（３）のベアリング領域（５）に関して平面的なベアリング領域（４）を備え、前記ベアリング領域（５）が前記ベアリング領域（４）に平面平行に配置され、前記物体（２）が前記運搬プレート（３）に関して２つの可能な反対の回転方向（Ｒ１，Ｒ２）の１つの方向に回転可能で且つ所定の方向（Ａ）に変位可能である物体（２）の回転並進移動用装置であって、
前記ベアリング領域（４，５）の互いに向き合うベアリング表面が閉じた周辺走行溝（４４，４５，５１）を備え、
前記周辺走行溝（４４，４５，５１）の中においてローラー体（６）が案内され、
前記周辺走行溝（４４，４５，５１）は、前記物体（２）に前記ベアリング領域（５）の平面において定義された方向（Ａ）に力が作用した場合に、前記物体（２）が少なくとも部分的に積極的に案内される、スタート位置から中間位置への同時の回転及び並進移動において移動可能であるように形成され、
前記同時の回転及び並進移動において、前記物体（２）が前記ベアリング領域（３）に関して２つの可能な反対の回転方向（Ｒ１，Ｒ２）のうちの１つの方向に回転されるとともに前記所定の方向（Ａ）に変位され、
前記物体（２）が、前記中間位置への移動後に、さらに前記２つの可能な反対の回転方向（Ｒ１，Ｒ２）のうちの１つの方向に前記運搬プレート（３）に関して旋回可能であり、前記所定の移動方向（Ａ）と反対に変位可能であり、且つ１８０度の旋回時に再び前記基本位置を占める、ことを特徴とする装置。
【請求項２】
２つの閉じた周辺走行溝（４４，４５）が一方の前記ベアリング領域（４）に導入され、はっきりと１つである閉じた周辺走行溝（５１）が他方の前記ベアリング領域（５）に導入されている、ことを特徴とする請求項１に記載の装置。
【請求項３】
前記ローラー体（６）がボールとして形成されている、ことを特徴とする請求項１又は２に記載の装置。
【請求項４】
互いに間隔を置いて位置させられた４つのローラー体（６）が前記走行溝（４４，４５，５１）の中において案内される、ことを特徴とする請求項１乃至３のいずれかに記載の装置。
【請求項５】
前記ローラー体（６）がローラー体ケージに、好ましくはキャッチ可能に、保持される、ことを特徴とする請求項１乃至４のいずれかに記載の装置。
【請求項６】
前記ベアリング領域（４，５）が、前記運搬プレート（３）又は前記物体（２）と１つの物品に形成されている、ことを特徴とする請求項１乃至５のいずれかに記載の装置。
【請求項７】
少なくとも１つの前記ベアリング領域（４，５）が、別個の要素として形成されており、当該別個の要素が、それぞれ、前記前記運搬プレート（３）又は前記物体（２）における対応する形状に形成されたレセプタクルに挿入可能であるか、又は前記前記運搬プレート（３）又は前記物体（２）に接続手段によって取り付け可能である、ことを特徴とする請求項１乃至６のいずれかに記載の装置。
【請求項８】
ガイド（８）が、前記ベアリング領域（４，５）の一方に配置され、案内保持要素（９）が前記ベアリング領域（４，５）の他方に配置されている、ことを特徴とする請求項１乃至６のいずれかに記載の装置。
【請求項９】
前記閉じた周辺走行溝（４４，４５，５１）が、それぞれ、前記物体（２）の前記ベアリング領域（４）及び前記運搬プレート（３）の前記ベアリング領域（５）の中心点の周りに、前記物体（２）の並進移動の方向（Ａ）における前記運搬プレート（３）の前端にまで導入されている、ことを特徴とする請求項１乃至８のいずれかに記載の装置。
【請求項１０】
前記閉じた周辺走行溝（４４，４５，５１）が、前記物体（２）が１８０度回転した後に到達する前記基本位置において前記ローラー体（６）のための複数のキャッチポイント（４３，５３）を有する、ことを特徴とする請求項１乃至９のいずれかに記載の装置。
【請求項１１】
前記物体（２）が、前記全体移動の間において、前記物体（２）の並進移動の方向（Ａ）の反対に前記運搬プレート（３）の後端を超えて突出しない、ことを特徴とする請求項１乃至１０のいずれかに記載の装置。
【請求項１２】
前記物体（２）が、１以上のベアリング領域、好ましくは２つのベアリング領域を有し、且つ、１以上の運搬プレート（３）と相互に作用する、ことを特徴とする請求項１乃至１１のいずれかに記載の装置。
【請求項１３】
前記運搬プレート（３）が、横臥して、又はぶら下がって、又は鉛直に起立して設置可能である、ことを特徴とする請求項１乃至１２のいずれかに記載の装置。
【発明の詳細な説明】
【技術分野】
【０００１】
本発明は、請求項１の前置文による運搬プレートのベアリング領域に関して当該ベアリング領域に平面平行に配置された平面的ベアリング領域を有する物体の回転及び並進移動用装置に関する。
【背景技術】
【０００２】
そのような装置は、例えば、保管空間又は保管表面に到達することが困難なエリアをアクセス可能にするのに用いられる。保管空間又は保管表面に保管された特定の物体に到達する能力は、しばしば非常に限られた範囲においてのみ可能である。例えば、人の頭の高さより上あるいは膝の高さより下のように特定のユーザに不親切に配置された保管空間は困難を伴ってのみ到達できる。
【０００３】
この保管空間又は保管表面に設置されたターンテーブルを回転(turning out)又は旋回(pivoting out)させることは、これらの上記不利点を解消するのに合理的なように見える。
【発明の概要】
【発明が解決しようとする課題】
【０００４】
従来技術から知られている装置においては、主に、順次の回転及び並進の移動が互いに結合される。これらの２つのタイプの移動は、一般的に互いに別個に平行して及び又は連続して行われる。そのような解決手段は技術的に複雑である。この場合、回転移動は、しばしば、特に９０度までのみの限られた範囲においてのみ可能である。さらに、多くの解決手段が、支持力の吸収並びに安定性及さらには大きな構造物高さにおいて弱点を有している。
【０００５】
本発明の目的は、運搬プレートに関連する物体の回転及び並進移動用の改良された装置を提供することにある。
【課題を解決するための手段】
【０００６】
上記目的は、クレーム１の特徴を有する運搬プレートのベアリング領域に関して平面的なベアリング領域を有していて、前記運搬プレートのベアリング領域が前記平面的なベアリング領域に平面平行である、物体の回転及び並進移動のための装置によって達成される。
【０００７】
物体の回転及び並進移動のための本発明に係る装置は、互いに向き合ったベアリング領域のベアリング表面が、ボール体が案内される閉じた周辺走行溝を備える点において区別される。前記物体は、運搬プレートのベアリング領域に関して平面的なベアリング領域を有していて、前記運搬プレートのベアリング領域が前記平面的なベアリング領域に平面平行である。前記物体は、前記運搬プレートに関して第１の回転方向に回転可能であり、且つ、所定の方向に変位可能である。
【０００８】
前記周辺走行溝は、前記物体に前記ベアリング領域の平面において定義された方向に力が作用した場合に、前記物体が少なくとも部分的に積極的に案内される、基本位置から中間位置への同時の回転及び並進移動において移動可能であるように形成され、前記同時の回転及び並進移動において、前記物体が前記ベアリング領域に関して２つの可能な反対の回転方向のうちの１つの方向に回転されるとともに前記所定の方向に変位され、前記物体が、前記中間位置への移動後に、さらに前記２つの可能な反対の回転方向のうちの１つの方向に前記運搬プレートに関して旋回可能であり、前記所定の移動方向と反対に変位可能であり、且つ１８０度の旋回時に再び前記基本位置を占める。１つの有利な中間位置が、約９０度に位置する。前記物体は、前記運搬プレートに関して任意の角度で回転可能である。
【０００９】
前記積極的に案内される、物体と運搬プレートとの間の同時の回転及び並進移動は、前記基本位置と、前記２つの可能な回転方向のそれぞれにおける前記中間位置（有利には９０度）に届くすぐ手前と、の間の範囲に存在する。また、前記運搬プレートに関する前記物体の９０度位置の範囲における１つのみの回転移動があり得る。
【００１０】
前記周辺走行溝が設けられていて、少なくとも部分的に同時の回転及び並進移動が可能である、前記ベアリング領域の前記ベアリング表面によれば、前記物体が前記運搬プレート上を単純な方法で移動可能である。
【００１１】
前記物体の下側及び前記運搬プレートの上側への前記周辺走行溝の導入によるこの装置の単純な構造は、製造コストを低減し、装置の堅牢性を向上させ、且つ、ユーザに操作しやすくする。
【００１２】
本発明の１つの有利な実施形態の変形によれば、２つの閉じた周辺走行溝が一方の前記ベアリング領域に導入され、はっきりと１つである閉じた周辺走行溝が他方の前記ベアリング領域に導入されている。
【００１３】
この場合、３つの走行溝のそれぞれは、好ましくは、少なくとも同様のプロファイル、すなわち、同様の基本要素を有する断面形状を有する。１つのベアリング領域の２つの走行溝の一方は、他方のベアリング領域の走行溝を写し取った（mirrored）ものとされ、２つの走行溝の他方は、２つの溝の一方に関して１８０度回転されるとともに所定量変位されて形成される。
【００１４】
そのような走行溝の輪郭を採用すると、操作するのが単純である、前記運搬プレートに関する前記物体の同時の回転及び並進移動が可能になる。
【００１５】
１つの好ましい実施形態の変形によれば、前記ローラー体はボールとして形成される。この構成は、前記物体の前記運搬プレートに関する相対的な低摩擦移動を可能にする。
【００１６】
単純な走行溝設計を維持しながら個々の前記ローラー体への支持負荷を可能にするために、好ましくは、４つの走行体が前記走行溝の中において案内される。
【００１７】
さらなる好ましい実施形態の変形によれば、前記ローラー体がローラー体ケージに、好ましくはキャッチ可能に、保持される。走行溝における移動の間の前記ローラー体の積極的な案内は、このようにして一層改善される。
【００１８】
本発明の１つの実施形態の変形によれば、前記物体又は前記運搬プレートの前記ベアリング領域が、それぞれ、前記運搬プレート又は前記物体と１つの物品に形成されている。
【００１９】
もう１つの実施形態の変形によれば、少なくとも１つの前記ベアリング領域が、別個の要素として形成されており、当該別個の要素が、それぞれ、前記前記運搬プレート又は前記物体における対応する形状に形成されたレセプタクルに挿入可能であるか、又は前記前記運搬プレート又は前記物体に接続手段によって取り付け可能である。
【００２０】
さらなる好ましい実施形態の変形によれば、ガイド（例えば、前記並進移動方向に延在するスロット）が、前記ベアリング領域の一方に配置され、案内保持要素が前記ベアリング領域の他方に配置されている。例えば、削孔が、１つのベアリング領域に導入されている。削孔には、案内保持するピン又はボルトが収容される。この構成は、また、積極的な案内をさらに改善するのに貢献する。さらに、前記物体及び前記運搬プレートが、このようにして、単純な方法で互いに軸方向に保持されることが可能になる。
【００２１】
さらなる好ましい実施形態の変形によれば、前記閉じた周辺走行溝が、それぞれ、前記物体のベアリング領域及び前記運搬プレートのベアリング領域の中心の周りに、前記物体の並進移動方向における前記運搬プレートの前端にまで導入されている。
【００２２】
この構成は、大きな接触表面を可能にする。さらに、この方法において、特に有利な負荷吸収が得られる。
【００２３】
走行溝は、物体が、前記全体移動の間において、前記物体の並進方向における前記運搬プレートの後端を超えて突出しないように、特に好適に設計される。
【００２４】
この構成は、本発明の装置の多くの用途において有利であり得る。さらに、この実施形態においては、前記物体が中間位置に傾くのを防止するために、傾き安全装置が、好ましくは前記運搬プレートの後端に設置され得る。
【００２５】
前記基本位置における前記物体の位置取りを改善するために、前記周辺走行溝は、好ましくは、前記物体の１８０度回転後に到達する前記基本位置において前記ローラー体のための複数のキャッチポイントを有する。
【００２６】
さらなる前記装置の操作性の単純化が、前記物体が前記運搬プレートに関して第１の回転方向及びそれと反対の第２の回転方向に回転可能であるという点において、達成される。
【００２７】
１つの好ましい実施形態の変形によれば、前記運搬プレートが横臥して設置される。しかしながら、また、前記運搬プレートが、ぶら下がって、又は鉛直に起立して、設置されることも考えられる。
【００２８】
また、用途に依存して、物体は１以上のベアリング領域を有する。物体は、好ましくは、２つのベアリング領域を有する。例えば、１つのベアリング領域が前記物体の上側に設置され、１つのベアリング領域が前記物体の下側に設置される。このようにして、前記物体は、１以上の運搬プレートの対応するベアリング領域と相互に作用することができる。この場合、１つのベアリング領域が固定ベアリングとして具現化され、すくなくとも１つのベアリングがフローティングベアリングとして具現化される。対応する実施形態は、特に、安定性を高める背の高い物体の場合に有利である。
【００２９】
本発明の例示的な実施形態が、添付の図面に基づいて、より詳細に説明される。
【図面の簡単な説明】
【００３０】
【図１】図１は、本発明に係る装置の実施形態の変形(variant)の上面図を示す。
【図２】図２は、図１のIIで特定された断面図を示す。
【図３】図３は、図１のIIIで特定された断面図を示す。
【図４】図４は、図１に示す装置の斜視分解図を示す。
【図５】図５は、ベアリング領域が別個の要素として形成された他の実施形態の変形の斜視分解図を示す。
【図６】図６は、別個の要素として形成されたベアリング領域の斜視図を示す。
【図７】図７は、中間位置に物体を有する運搬プレートの上面図を示す。
【発明を実施するための形態】
【００３１】
（実施形態）
以下の図の記載において、左、右、前、後等の用語は、運搬プレート、物体、ベアリング領域、ローラー体、及び走行溝等の斜視図における一例として選択された説明及び位置を排他的に指す。これらの用語は制限的に理解されるべきではない。すなわち、これらの参照は、異なった動作位置、鏡面対称設計等によって変わり得る。
【００３２】
図１において、物体（ここでは棚の形状）が参照符号２で示される。物体２は、回転的且つ並進的に移動可能に運搬プレート３上に装着されている。この場合において、物体２又は運搬プレート３の各ベアリング領域４，５は、それぞれ、ベアリングのために設けられている。
【００３３】
互いに向き合ったこれらのベアリング領域４，５のベアリング表面は、それぞれ、閉じた周辺走行溝４４，４５，５１を有している。それらの中をローラー体６が案内される。ローラー体６は、この場合、好ましくはボールとして形成される。
【００３４】
走行溝４４，４５，５１は、ベアリング領域の平面内に定義された方向Ａにおいて物体２に力が作用すると、物体２が、積極的に案内される、スタート位置から中間位置への同時の回転及び並進移動において移動可能である形状を有する。この同時の回転及び並進移動では、物体２が、回転方向Ｒ１又は回転方向Ｒ２において運搬プレート３に関して回転されるとともに所定の方向にＡに変位する。
【００３５】
１つの好ましい中間位置において、物体２は、基本位置(base-position)に関して約９０度旋回(pivot)され、変位は所定の方向において最大値に達する。
【００３６】
物体２は、さらに方向Ｒ１に回転されることによって基本位置に戻り得る。このために、物体２は、運搬プレート３に関して全部で１８０度旋回されるとともに所定の方向Ａと反対方向に基本位置に変位される。
【００３７】
もう１つの方法として、物体２は、回転方向Ｒ１と反対に回転方向Ｒ２に回転し直すことによって基本位置に戻り得る。
【００３８】
図４乃至６に示されるように、２つの閉じた周辺走行溝４４，４５が物体２のベアリング領域４に導入されている。はっきりと１つに閉じた周辺走行溝５１が運搬プレート３のベアリング領域５に導入されている。
【００３９】
また、２つの上記走行溝が運搬プレート３のベアリング領域５に導入され、１つの上記走行溝が物体２のベアリング領域４に導入されるという逆配置が考えられる。
【００４０】
３つの走行溝４４，４５，５１は、断面及び同様の形状で一致していることが好ましく、且つ、非常によく似た基本要素を有している。この場合、図４及び図５から良く判るように、物体２のベアリング領域４の２つの走行溝の一方４４は、走行溝５１に関して鏡面対象である。２つの走行溝の他方４５は、走行溝４４に関して１８０回転されて形成されており、且つ、並進移動の量だけ変位されている（ずらされている）。
【００４１】
図２、３、４、及び５にさらに示されているように、ローラー体６（ここではボールとして形成されている）は、ローラー体ケージ（籠）７に保持されている。この場合、ローラー体６は、ローラー体ケージ７の中に係留されていることが好ましい。ローラー体６を、このために設けられたローラー体ケージ７の開口中に単独で案内することが考えられる。
【００４２】
運搬プレート３の物体２との軸方向の固定のために、並進移動方向Ａに延在するスロットの形をしたガイド８が、運搬プレート３のベアリング領域５に導入されている。削孔４６が、物体２のベアリング領域４の中心に導入されている。もし、運搬プレート３及びその上に置かれている物体２が水平に設置される場合、当該軸方向の安全手段を省略してもよい。また、１以上の軸方向の安全手段又は異なるように具現化された安全手段が設けられ得る。
【００４３】
図４に示される実施形態の変形ではベアリング領域４，５が物体２又は運搬プレート３と１つの物品にそれぞれ形成されていて、そこでは、走行溝４４，４５，５１は、それぞれ、物体２の下側又は運搬プレート３の上側に直接導入されているが、その一方で、ベアリング領域４，５は、物体２の下側又は運搬プレート３の上側にそれぞれ締結可能なベアリングプレート４２，５２の形の別個の要素として形成される。
【００４４】
この目的のために、それぞれの締結レセプタクル５４，４７が、ベアリングプレート４２，５２の側端に形成されている。締結レセプタクル５４，４７には、ねじが挿入可能であり、それらを用いてベアリングプレート４２，５２が、それぞれ、物体２又は運搬プレート３に締結可能である。
【００４５】
ローラー体６への負荷をできる限り低く維持するとともに簡素な走行溝を可能にするために、ここに示された実施形態の変形では、４つのボールに形成されたローラー体６が走行溝４４，４５，５１中を案内される。あるいは、２つ又は８つのローラー体が設けられ得る。
【００４６】
図４、５、及び６に示されるように、閉じた周辺走行溝４４，４４、５１は、物体２のベアリング領域４及び運搬プレート３のベアリング領域５の中心点を介して運搬プレート３の物体２の並進移動方向Ａにおける前端にまで導入されている。
【００４７】
スタート位置において物体２を容易にラッチ（掴む：latch)できるように、閉じた周辺走行溝４４，４５，５１は、スタート位置に複数のローラー体６のキャッチポイント(catch point)を備えている。スタート位置においては、物体２は運搬プレート３の前端を超えて突出しない。このスタート位置には、物体２が１８０度だけ回転する毎に到達する。
【００４８】
さらなる実施形態において、選択された中間位置もまた、例えば、物体２の運搬プレート３に関する９０度の旋回時にキャッチポイントを有し得る。
【００４９】
キャッチポイント４３，５３は、これらの位置からの移動に高い力の印加が必要とされる点において区別される。この高い力の印加は、例えば、対応する、窪み、高い隆起、等を有する走行溝４４，４５，５１を形成することによって達成され得る。この力に影響を及ぼす他の要素として、例えば、磁石が考えられる。
【００５０】
ここに示される走行溝４４，４５，５１の形成では、物体２は、運搬プレート３に関して回転方向Ｒ１及び反対の回転方向Ｒ２に回転可能にされる。
【００５１】
さらに、物体２は、この走行溝４４，４５，５１の形成によって任意の角度だけ回転され得る。このようにして、第１の回転移動の間に、物体２を運搬プレート３に関して回転方向Ｒ１に１８０度回転させることができ、且つ、その後の作動の間に、もう一度物体２を同じ回転方向Ｒ１に回転させること又はこれに代えて物体２を反対の回転方向Ｒ２に回転させることができる。
【００５２】
物体２は、約９０度の中間位置において、運搬プレート３の後端を超えて方向Ａの反対に突出しないことが図７から明らかである。
【００５３】
運搬プレート３及びこの上に保持された物体２は、横臥して、又はぶら下がって、又は鉛直に起立して設置され得る。横臥して設置された位置では、この装置は、この場合、棚として設計された物体２の並進及び回転移動用に好適に使用される。
【符号の説明】
【００５４】
２  物体
３  運搬プレート
４  ベアリング領域
４１  ベアリングプレート
４３  キャッチポイント
４４  走行溝
４５  走行溝
４６  削孔
４７  締結レセプタクル
５  ベアリング領域
５１  走行溝
５２  ベアリングプレート
５３  キャッチポイント
５４  締結レセプタクル
６  ローラー体
７  ローラー体ケージ
８  ガイド
９  案内保持ピン
Ａ  方向
Ｒ１  回転方向
Ｒ２  回転方向
【図１】
2020513970.tif 000003
【図２】
2020513970.tif 000004
【図３】
2020513970.tif 000005
【図４】
2020513970.tif 000006
【図５】
2020513970.tif 000007
【図６】
2020513970.tif 000008
【図７】
2020513970.tif 000009
【国際調査報告】
2020513970.tif 000010
2020513970.tif 000011
2020513970.tif 000012
2020513970.tif 000013